(57)【要約】【課題】基準ガスの酸素濃度を一定に維持することができ、測定ガスの酸素濃度を正しく測定することが可能な酸素濃度測定装置を提供する。【解決手段】本発明に係る酸素濃度測定装置１は、第１のセンサ保持部材３１と第２のセンサ保持部材３２との間に、アルミナ管（基準ガス流入管）１３及び穴部を経由して流入した基準ガスを流通させる隙間６０を設けてある。アルミナ管１３を内挿しているアルミナ管（基準ガス流出管）２０とアルミナ管１３との間の空間を、基準ガスが流出する基準ガス流出経路６１として用いる。第１のセンサ保持部材３１及び第２のセンサ保持部材３２は、互いに嵌め合わせる側の端面をＶ字状に切り込んであり、端面の突出する部分と切り込んである部分とを嵌め合わせることにより隙間６０が形成されている。【選択図】図２
2014122840.tif 000002
【特許請求の範囲】
【請求項１】
測定対象となる測定ガスと接触する側において外部電極と、基準ガスと接触する側において内部電極と、それぞれ接続され、前記測定ガスの酸素濃度と前記基準ガスの酸素濃度との差に応じて起電力を発生するジルコニア素子と、
前記外部電極に接続された第１の白金電極と、
前記内部電極に接続された第２の白金電極と、
温度を測定する熱電対と
を備える酸素濃度測定装置において、
前記基準ガスが流入する基準ガス流入管の一端に円柱状の第１のセンサ保持部材と、該第１のセンサ保持部材と嵌め合わせることが可能な、前記ジルコニア素子を保持する円柱状の第２のセンサ保持部材とを備え、
前記第１のセンサ保持部材には前記基準ガスが流通可能な穴部を設けてあり、
前記第１のセンサ保持部材と前記第２のセンサ保持部材との間に、前記基準ガス流入管及び前記穴部を経由して流入した基準ガスを流出させる隙間を設けてあり、
前記基準ガス流入管を内挿している基準ガス流出管と前記基準ガス流入管との間の空間を、前記基準ガスが流出する基準ガス流出経路として用いることを特徴とする酸素濃度測定装置。
【請求項２】
前記第１のセンサ保持部材及び前記第２のセンサ保持部材は、互いに嵌め合わせる側の端面をＶ字状に切り込んであり、
前記隙間は、前記端面の突出する部分と切り込んである部分とを嵌め合わせることにより形成されていることを特徴とする請求項１に記載の酸素濃度測定装置。
【請求項３】
前記穴部は、前記基準ガス流入管と連結するように、前記第１のセンサ保持部材を貫通する貫通孔として形成されていることを特徴とする請求項１又は２に記載の酸素濃度測定装置。
【請求項４】
前記穴部は、前記第１のセンサ保持部材の中央部分に形成されていることを特徴とする請求項３に記載の酸素濃度測定装置。
【請求項５】
前記熱電対は、前記第１のセンサ保持部材に挿通されており、
前記穴部は、前記熱電対を前記第１のセンサ保持部材に挿通する貫通孔として形成されていることを特徴とする請求項３に記載の酸素濃度測定装置。
【発明の詳細な説明】
【技術分野】
【０００１】
本発明は、各種の炉内雰囲気中の酸素濃度を測定する酸素濃度測定装置に関する。特に一定の測定精度を維持することができる酸素濃度測定装置に関する。
【背景技術】
【０００２】
金属部品の熱処理、表面処理等に用いる炉内では、酸素は非常に微量である。このように微量の酸素を測定するために、主としてセラミックスを用いた酸素濃度測定装置が採用されている。
【０００３】
特許文献１には、従来の酸素濃度測定装置が開示されている。図７は、従来の酸素濃度測定装置のセンサ部分近傍の内部構造を模式的に示す部分断面図である。図７に示すように、従来の酸素濃度測定装置では、アルミナ管１３内部を流れる基準ガスと、測定対象となる測定ガスとの酸素濃度差によりジルコニア（素子）１２で発生する起電力を、内部電極１６に接続された白金電極１４と外部電極１７に接続された白金電極１５との電位差として測定する。
【０００４】
発生する起電力の大きさは、基準ガスの温度によっても変動する。そこで、熱電対１８を用いた熱電対温度測定部により基準ガスの温度を測定しておくことにより、ネルンストの式を用いて周囲環境の温度変化に応じた測定ガスの酸素濃度を算出することができる。
【先行技術文献】
【特許文献】
【０００５】
【特許文献１】特開平０３−１０５２４３号公報
【発明の概要】
【発明が解決しようとする課題】
【０００６】
特許文献１に開示された酸素濃度測定装置では、熱電対１８の結合部分を熱電対温度測定部として機能させている。しかし、結合部分から基準ガスを流出する経路は確保されておらず、結合部分の近傍に流入した基準ガスが滞留する。したがって、基準ガスの酸素濃度を一定に維持することが困難であり、ジルコニア素子１２で発生する起電力にばらつきが生じるおそれがあるという問題点があった。
【０００７】
本発明は斯かる事情に鑑みてなされたものであり、基準ガスの酸素濃度を一定に維持することができ、測定ガスの酸素濃度を正しく測定することが可能な酸素濃度測定装置を提供することを目的とする。
【課題を解決するための手段】
【０００８】
上記目的を達成するために本発明に係る酸素濃度測定装置は、測定対象となる測定ガスと接触する側において外部電極と、基準ガスと接触する側において内部電極と、それぞれ接続され、前記測定ガスの酸素濃度と前記基準ガスの酸素濃度との差に応じて起電力を発生するジルコニア素子と、前記外部電極に接続された第１の白金電極と、前記内部電極に接続された第２の白金電極と、温度を測定する熱電対とを備える酸素濃度測定装置において、前記基準ガスが流入する基準ガス流入管の一端に円柱状の第１のセンサ保持部材と、該第１のセンサ保持部材と嵌め合わせることが可能な、前記ジルコニア素子を保持する円柱状の第２のセンサ保持部材とを備え、前記第１のセンサ保持部材には前記基準ガスが流通可能な穴部を設けてあり、前記第１のセンサ保持部材と前記第２のセンサ保持部材との間に、前記基準ガス流入管及び前記穴部を経由して流入した基準ガスを流出させる隙間を設けてあり、前記基準ガス流入管を内挿している基準ガス流出管と前記基準ガス流入管との間の空間を、前記基準ガスが流出する基準ガス流出経路として用いることを特徴とする。
【０００９】
上記構成では、基準ガスが、基準ガス流入管及び穴部を経由してジルコニア素子の近傍まで流入し、第１のセンサ保持部材と第２のセンサ保持部材との間の隙間から、基準ガス流入管を内挿している基準ガス流出管と基準ガス流入管との間の基準ガス流出経路を通って外部へと流出する。これにより、ジルコニア素子近傍において、基準ガスが滞留することがなく、基準ガスの酸素濃度を一定に維持した状態で測定ガスの酸素濃度を測定することができ、高い測定精度を有する酸素濃度測定装置を提供することが可能となる。
【００１０】
また、本発明に係る酸素濃度測定装置は、前記第１のセンサ保持部材及び前記第２のセンサ保持部材は、互いに嵌め合わせる側の端面をＶ字状に切り込んであり、前記隙間は、前記端面の突出する部分と切り込んである部分とを嵌め合わせることにより形成されていることが好ましい。
【００１１】
上記構成では、第１のセンサ保持部材及び第２のセンサ保持部材は、互いに嵌め合わせる側の端面をＶ字状に切り込んであり、隙間は、端面の突出する部分と切り込んである部分とを嵌め合わせることにより形成されているので、第１のセンサ保持部材の穴部を流通した基準ガスは、形成された隙間から基準ガス流出経路を通って確実に外部へと流出する。したがって、ジルコニア素子近傍において、基準ガスが滞留することがなく、基準ガスの酸素濃度を一定に維持した状態で測定ガスの酸素濃度を測定することができ、高い測定精度を有する酸素濃度測定装置を提供することが可能となる。
【００１２】
また、本発明に係る酸素濃度測定装置は、前記穴部は、前記基準ガス流入管と連結するように、前記第１のセンサ保持部材を貫通する貫通孔として形成されていることが好ましい。
【００１３】
上記構成では、穴部が基準ガス流入管と連結するように、第１のセンサ保持部材を貫通する貫通孔として形成されているので、ジルコニア素子の近傍まで確実に基準ガスを流入させることができる。したがって、ジルコニア素子近傍において、基準ガスが滞留することがなく、基準ガスの酸素濃度を一定に維持した状態で測定ガスの酸素濃度を測定することができ、高い測定精度を有する酸素濃度測定装置を提供することが可能となる。
【００１４】
また、本発明に係る酸素濃度測定装置は、前記穴部は、前記第１のセンサ保持部材の中央部分に形成されていることが好ましい。
【００１５】
上記構成では、穴部が、第１のセンサ保持部材の中央部分に形成されているので、ジルコニア素子の近傍まで確実に基準ガスを流入させることができる。したがって、ジルコニア素子近傍において、基準ガスが滞留することがなく、基準ガスの酸素濃度を一定に維持した状態で測定ガスの酸素濃度を測定することができ、高い測定精度を有する酸素濃度測定装置を提供することが可能となる。
【００１６】
また、本発明に係る酸素濃度測定装置は、前記熱電対は、前記第１のセンサ保持部材に挿通されており、前記穴部は、前記熱電対を前記第１のセンサ保持部材に挿通する貫通孔として形成されていることが好ましい。
【００１７】
上記構成では、熱電対は、第１のセンサ保持部材に挿通されており、穴部は、熱電対を第１のセンサ保持部材に挿通する貫通孔として形成されているので、新たな穴部を形成する必要がない。また、ジルコニア素子の近傍まで確実に基準ガスを流入させることができる。したがって、熱電対が挿通されている穴部を通じて基準ガスが流入してくるので、ジルコニア素子近傍において、基準ガスが滞留することがなく、基準ガスの酸素濃度を一定に維持した状態で測定ガスの酸素濃度を測定することができ、高い測定精度を有する酸素濃度測定装置を提供することが可能となる。
【発明の効果】
【００１８】
上記構成によれば、基準ガスが、基準ガス流入管及び穴部を経由してジルコニア素子の近傍まで流入し、第１のセンサ保持部材と第２のセンサ保持部材との間の隙間から、基準ガス流入管を内挿している基準ガス流出管と基準ガス流入管との間の基準ガス流出経路を通って外部へと流出する。これにより、ジルコニア素子近傍において、基準ガスが滞留することがなく、基準ガスの酸素濃度を一定に維持した状態で測定ガスの酸素濃度を測定することができ、高い測定精度を有する酸素濃度測定装置を提供することが可能となる。
【図面の簡単な説明】
【００１９】
【図１】本発明の実施の形態に係る酸素濃度測定装置の構成を示す断面図である。
【図２】本発明の実施の形態に係る酸素濃度測定装置の先端部分の構成を示す部分断面図である。
【図３】ジルコニア素子の起電力と測定ガスの酸素濃度との関係を示すグラフである。
【図４】本発明の実施の形態に係る酸素濃度測定装置の第１のセンサ保持部材の正面図である。
【図５】本発明の実施の形態に係る酸素濃度測定装置の第１のセンサ保持部材の部分側面図である。
【図６】本発明の実施の形態に係る酸素濃度測定装置の第１のセンサ保持部材と第２のセンサ保持部材との嵌め合わせ状態を模式的に示す斜視図である。
【図７】従来の酸素濃度測定装置のセンサ部分近傍の内部構造を模式的に示す部分断面図である。
【発明を実施するための形態】
【００２０】
以下、本発明の実施の形態に係る酸素濃度測定装置について、図面に基づいて具体的に説明する。
【００２１】
図１は、本発明の実施の形態に係る酸素濃度測定装置の構成を示す断面図である。本実施の形態に係る酸素濃度測定装置１は、酸素濃度を測定する基準となる基準ガスが流入する円筒状のアルミナ管（基準ガス流入管）１３の一端（先端）に、ジルコニア素子１２を含む酸素センサ部１０を備えている。アルミナ管１３の他端には、基準ガスを流入する基準ガス流入口２を備えている。また、アルミナ管１３を内挿するアルミナ管（基準ガス流出管）２０を備えており、アルミナ管１３とアルミナ管２０との間の空間を基準ガス流出経路として機能させている。
【００２２】
図２は、本発明の実施の形態に係る酸素濃度測定装置１の先端部分の構成を示す部分断面図である。図２に示すように、本実施の形態に係る酸素濃度測定装置１は、ジルコニア素子１２を含む酸素センサ部１０を一端に備えたアルミナ管１３が、アルミナ管２０を内挿する保護管１９に収納されている。ジルコニア素子１２は、アルミナ管１３内部を流れる基準ガスと接触する側において内部電極１６と、酸素濃度の測定対象となる測定ガスと接触する側において外部電極１７とに、それぞれ接続されている。
【００２３】
また、白金電極（第１の白金電極）１５が外部電極１７に、白金電極（第２の白金電極）１４が内部電極１６に、それぞれ接続されている。なお、ジルコニア素子１２は、外部電極１７及び内部電極１６と一体化して形成されている。内部電極１６は、例えばジルコニア素子１２の基準ガスと接触する側に白金ペーストを塗布しておき、第２の白金電極１４を後述するセンサ保持部材で押しつけた状態で焼き付けることにより形成される。
【００２４】
ジルコニア素子１２は、一定の高温環境下では、酸素濃度が高い方から低い方へ電荷が移動するという性質を有している。したがって、電荷の移動によりジルコニア素子１２に発生する起電力を、内部電極１６と外部電極１７との電位差として測定することにより、測定ガスの酸素濃度を測定することができる。
【００２５】
つまり、基準ガスの酸素濃度をＰR （％）、測定ガスの酸素濃度をＰM （％）とした場合、（式１）のネルンストの式が成立する。
【００２６】
【数１】
2014122840.tif 000003
【００２７】
本実施の形態では、ジルコニア素子１２において、酸素濃度の高い側では酸素イオンが発生し、低い側では酸素イオンから酸素が発生するという、イオン電導が生じる。イオン電導の化学反応式は、（式２）のように表すことができる。
【００２８】
【数２】
2014122840.tif 000004
【００２９】
したがって、（式１）における「反応に含まれる電子数ｎ」は、‘４’となる。
【００３０】
基準ガスの酸素濃度ＰR は既知であることから、ジルコニア素子１２で発生する起電力Ｅを測定することにより、測定ガスの酸素濃度ＰM を（式１）から算出することができる。図３は、ジルコニア素子１２で発生する起電力Ｅと測定ガスの酸素濃度ＰM との関係を示すグラフである。図３に示すように、酸素濃度ＰM は起電力Ｅの対数関数値として変動していることがわかる。したがって、ジルコニア素子１２で発生する起電力Ｅを測定することにより、測定ガスの酸素濃度ＰM を求めることができる。
【００３１】
なお、（式１）に示すネルンストの式からもわかるように、起電力Ｅは、周囲の雰囲気の温度（絶対温度）Ｔによって変動する。そこで、熱電対１８を用いた熱電対温度測定部により基準ガスの温度（絶対温度）Ｔを測定しておくことにより、ネルンストの式から正しい起電力Ｅを求めることができ、より正確に測定ガスの酸素濃度ＰM を求めることができる。
【００３２】
図２に戻って、本実施の形態に係る酸素濃度測定装置１は、アルミナ管１３の一端に、円柱状の第１のセンサ保持部材３１と、第１のセンサ保持部材３１と嵌め合わせることが可能な、ジルコニア素子１２を保持する円柱状の第２のセンサ保持部材３２とを備えている。第１のセンサ保持部材３１と第２のセンサ保持部材３２との間には基準ガスを流通させる隙間を設けてある。熱電対１８は、アルミナ管１３及び第１のセンサ保持部材３１の内部を貫通する穴部に挿通されており、結合部分を熱電対温度測定部として機能させて基準ガスの温度を測定することにより、基準ガスの正確な酸素濃度を把握することができ、測定ガスの酸素濃度ＰM の測定精度を高めることができる。
【００３３】
なお、アルミナ管１３の一端に備える第１のセンサ保持部材３１は、アルミナ系の材料で形成されており、第１のセンサ保持部材３１と嵌め合わせる第２のセンサ保持部材３２も、アルミナ系の材料で形成されている。図２では、熱電対１８は、アルミナ管１３及び第１のセンサ保持部材３１の中央部分に貫通孔として形成されている穴部に挿通されている。熱電対１８は、後述の図４に示すように、少なくとも一方の線がアルミナ管などに挿通されることにより、一方の線と他方の線とが絶縁された状態となっているが、図２ではアルミナ管の図示を省略している。なお、第１のセンサ保持部材３１の穴部は、特にこれに限定されるものではなく。例えば熱電対１８を挿通する貫通孔として複数形成しても良い。
【００３４】
図４は、本発明の実施の形態に係る酸素濃度測定装置１の第１のセンサ保持部材３１の正面図であり、図５は、本発明の実施の形態に係る酸素濃度測定装置１の第１のセンサ保持部材３１の部分側面図である。図４（ａ）は、図２と同様、中央部分に、熱電対１８を挿通する貫通孔として穴部３１０を備える構成を示しており、図４（ｂ）は、熱電対１８を挿通する貫通孔として一対の穴部３１１を備える構成を示している。図５（ａ）は、第２のセンサ保持部材３２を嵌め合わせていない状態を示しており、図５（ｂ）は、第２のセンサ保持部材３２を嵌め合わせた状態を示している。
【００３５】
まず、図４（ａ）に示すように、第１のセンサ保持部材３１の中央部分に貫通孔として穴部３１０を備えている場合、すなわち第１のセンサ保持部材３１が中空である場合には、アルミナ管１３に挿通させ、少なくとも一方の線がアルミナ管１８２などに挿通されることにより、一方の線と他方の線とが絶縁された熱電対１８を穴部３１０から引き出し、引き出された熱電対１８を互いに結合することで、熱電対温度測定部として機能させる結合部分１８１を形成している。基準ガスは、アルミナ管１３の穴部３１０から第１のセンサ保持部材３１と第２のセンサ保持部材３２との間の空間５０（図５（ｂ）参照）へと誘導される。
【００３６】
図４（ｂ）及び図５に示すように、第１のセンサ保持部材３１に熱電対１８を挿通する貫通孔が、基準ガスが流通する一対の穴部３１１として形成されている。基準ガスは、アルミナ管１３を通って、熱電対１８が挿通されている一対の穴部３１１から、第１のセンサ保持部材３１と第２のセンサ保持部材３２との間の空間５０へと誘導される。
【００３７】
そして、図５（ａ）に示す第１のセンサ保持部材３１を、図５（ｂ）に示すように、第２のセンサ保持部材３２と嵌め合わせた場合、第１のセンサ保持部材３１と第２のセンサ保持部材３２との間に空間５０が形成され、熱電対１８の結合部分１８１を空間５０内に配置することができる。本実施の形態では、第１のセンサ保持部材３１と第２のセンサ保持部材３２との嵌め合わせ部分の形状を工夫することで、基準ガスの流出経路となる隙間６０を形成している。なお、図５（ａ）及び図５（ｂ）は、図４（ｂ）の形状を有する第１のセンサ保持部材３１を用いる場合について説明しているが、図４（ａ）の形状を有する第１のセンサ保持部材３１を用いる場合においても、同様の効果を得ることができる。この場合、第１のセンサ保持部材３１と第２のセンサ保持部材３２との間の空間５０は、図４（ｂ）の形状を有する第１のセンサ保持部材３１を用いる場合と同じとなる。
【００３８】
図６は、本発明の実施の形態に係る酸素濃度測定装置１の第１のセンサ保持部材３１と第２のセンサ保持部材３２との嵌め合わせ状態を模式的に示す斜視図である。図６に示すように、第１のセンサ保持部材３１及び第２のセンサ保持部材３２は、円柱状であり、嵌め合わせる側の端面を互いに嵌め合わせることが可能なようにＶ字状に切り込んである。そして、第１のセンサ保持部材３１に対して、第２のセンサ保持部材３２の突出する部分を、互いに対向する位置から９０度回転させて嵌め合わせる。すなわち、第１のセンサ保持部材３１及び第２のセンサ保持部材３２の各端面の突出する部分と切り込んである部分とを嵌め合わせることにより、第１のセンサ保持部材３１と第２のセンサ保持部材３２との間に空間５０及び隙間６０が形成される。
【００３９】
したがって、第１のセンサ保持部材３１と第２のセンサ保持部材３２との間の空間５０まで誘導されてきた基準ガスは、隙間６０から図２に示すアルミナ管１３とアルミナ管２０との間の基準ガス流出経路６１を通って外部へと流出する。つまり、ジルコニア素子１２の近傍において、基準ガスは滞留することがなく、基準ガスの酸素濃度を一定に維持することが容易となる。
【００４０】
なお、第２の白金電極１４は、ジルコニア素子１２（内部電極１６）の一方の面に圧着させることが好ましい。起電力Ｅをより確実に測定するためである。本実施の形態では、第２の白金電極１４の先端部分を、ジルコニア素子１２（内部電極１６）とジルコニア素子１２へ第２の白金電極１４を押しつけて保持する第２のセンサ保持部材３２とで挟持している。
【００４１】
以上のように本実施の形態によれば、基準ガスが、アルミナ管１３及び第１のセンサ保持部材３１に形成されている穴部３１０又は一対の穴部３１１を経由して流入し、第１のセンサ保持部材３１と第２のセンサ保持部材３２との間の隙間６０から、アルミナ管１３とアルミナ管２０との間の基準ガス流出経路６１へと流出し、基準ガス流出経路６１を通って外部へと流出する。これにより、ジルコニア素子１２の近傍において、基準ガスが滞留することがなく、基準ガスの酸素濃度を一定に維持した状態で測定ガスの酸素濃度を測定することができる。したがって、高い測定精度を有する酸素濃度測定装置１を提供することが可能となる。
【００４２】
その他、上述した実施の形態は、本発明の趣旨を逸脱しない範囲で変更することができることは言うまでもない。
【符号の説明】
【００４３】
１  酸素濃度測定装置
１０  酸素センサ部
１２  ジルコニア素子
１３  アルミナ管（基準ガス流入管）
１４  白金電極（第２の白金電極）
１５  白金電極（第１の白金電極）
１６  内部電極
１７  外部電極
１８  熱電対
２０  アルミナ管（基準ガス流出管）
３１  第１のセンサ保持部材
３２  第２のセンサ保持部材
５０  空間
６０  隙間
６１  基準ガス流出経路
１８１  結合部分
３１０、３１１  穴部
【図１】
2014122840.tif 000005
【図２】
2014122840.tif 000006
【図３】
2014122840.tif 000007
【図４】
2014122840.tif 000008
【図５】
2014122840.tif 000009
【図６】
2014122840.tif 000010
【図７】
2014122840.tif 000011